(57)【要約】【課題】  管理システム上で工程情報を作成した後であっても工程情報を全体的に変更可能な住宅施工工程計画支援システムを提供することを目的とする。【解決手段】  住宅施工工程計画支援システム１００は、建築長が使用する建築長用端末１０と、工事部長が使用する工事部長用端末２０と、施工管理者が使用する施工管理者用端末３０と、現場監督が使用する現場監督用端末４０と、建築長用端末１０、工事部長用端末２０、施工管理者用端末３０及び現場監督用端末４０とネットワーク５０を介して接続されたサーバ６０とを有する管理システムであり、前記各端末は、工程情報読出手段、表示手段、選択手段、入力手段、更新手段、作成指示手段（又は承認指示手段、承認連絡手段）を具備するものである。【選択図】図１
2008052623.tif 000002
【特許請求の範囲】
【請求項１】
建築長が使用する建築長用端末と、
工事部長が使用する工事部長用端末と、
施工管理者が使用する施工管理者用端末と、
現場監督が使用する現場監督用端末と、
前記建築長用端末、前記工事部長用端末、施工管理者用端末及び現場監督用端末とネットワークを介して接続されたサーバとを有する住宅施工工程計画支援システムであって、
前記サーバは、
予め事業所全体の工程情報を記憶する記憶手段を備え、
前記建築長用端末は、
前記サーバより前記工程情報を読み出す工程情報読出手段と、
前記工程情報読出手段により読み出した工程情報を一覧で表示する工程情報表示手段と、
前記工程情報表示手段により表示された工程情報の一覧から任意の工程情報を選択する工程情報選択手段と、
前記工程情報選択手段により選択された工程情報に現場監督、担当工事店、及び工程パターンを入力する工程情報入力手段と、
前記現場監督、担当工事店、及び工程パターンが入力された工程情報を前記サーバ上の工程情報に更新する工程情報更新手段とを備え、
前記工事部長用端末は、
前記サーバより前記工程情報を読み出す工程情報読出手段と、
前記工程情報読出手段により読み出した工程情報を表示する工程情報表示手段と、
前記工程情報表示手段により表示された工程情報から任意の工程情報を選択する工程情報選択手段と、
前記工程情報選択手段により選択された工程情報に施工管理者及び施工班を入力する工程情報入力手段と、
前記施工管理者及び施工班が入力された工程情報を前記サーバの上の工程情報に更新する工程情報更新手段とを備え、
前記施工管理者用端末は、
前記サーバより前記工程情報を読み出す工程情報読出手段と、
前記工程情報読出手段により読み出した工程情報を表示する工程情報表示手段と、
前記工程情報表示手段により表示された工程情報から任意の工程情報を選択する工程情報選択手段と、
前記工程情報選択手段により選択された工程情報に詳細工程情報及び工事実績を入力する工程情報入力手段と、
前記詳細工程情報又は工事実績が入力された工程情報を前記サーバ上の工程情報に更新する工程情報更新手段とを備え、
前記現場監督用端末は、
前記サーバより前記工程情報を読み出す工程情報読出手段と、
前記工程情報読出手段により読み出した工程情報を表示する工程情報表示手段と、
前記工程情報表示手段により表示された工程情報から任意の工程情報を選択する工程情報選択手段と、
前記工程情報選択手段により選択された工程情報に工事実績を入力する工程情報入力手段と、
前記工事実績が入力された工程情報を前記サーバ上の工程情報に更新する工程情報更新手段とを備えることを特徴とする住宅施工工程計画支援システム。
【請求項２】
前記建築長用端末が、前記工事部長用端末に工程情報の作成を指示する工程情報作成指示手段を有することを特徴とする請求項１記載の住宅施工工程計画支援システム。
【請求項３】
前記工事部長用端末が、前記施工管理者用端末に工程情報の作成を指示する工程情報作成指示手段を有することを特徴とする請求項１又は２記載の住宅施工工程計画支援システム。
【請求項４】
前記施工管理者用端末が、前記現場監督用端末に工程情報の承認を指示する工程情報承認指示手段を有することを特徴とする請求項１乃至３記載の住宅施工工程計画支援システム。
【請求項５】
前記現場監督用端末が、前記施工管理者用端末に工程情報の承認を連絡する工程情報承認連絡手段を有することを特徴とする請求項１乃至４記載の住宅施工工程計画支援システム。
【発明の詳細な説明】
【技術分野】
【０００１】
本発明は、住宅施工工程計画支援システムに関し、詳しくは、複数の端末とネットワークを介して接続されたサーバとからなる住宅施工工程計画支援システムに関する。
【背景技術】
【０００２】
住宅の建築は、複数の工程からなり、各工程は建築長が作成する工程計画に基づいて実施される。この工程計画に関する工程情報は、建築長、工事部長、施工管理者および現場監督が共有し、システムとして管理している。なお、工程計画管理システムとしては、特許文献１が挙げられる。
【特許文献１】特開２００２−７３７３５号公報
【発明の開示】
【発明が解決しようとする課題】
【０００３】
しかしながら、管理システム上で建築長が作成する工程情報は、建築長、工事部長、施工管理者及び現場監督により共有されているものの、一度作成された工程計画は、工事中に工程情報を変更しなくてはならない場合があっても、管理システム上では各イベントの変更のみが可能なだけで、工程計画に関する工程情報全体の変更を行うことができないという問題点があった。
【０００４】
本発明は、かかる問題を解決すべくなされたものであり、管理システム上で工程情報を作成した後であっても、工程計画に関する工程情報を全体的に変更が可能な住宅施工工程計画支援システムを提供することを目的とする。
【課題を解決するための手段】
【０００５】
当該目的を達成するために、請求項１に記載の住宅施工工程計画支援システムは、建築長が使用する建築長用端末と、工事部長が使用する工事部長用端末と、施工管理者が使用する施工管理者用端末と、現場監督が使用する現場監督用端末と、前記建築長用端末、前記工事部長用端末、施工管理者用端末及び現場監督用端末とネットワークを介して接続されたサーバとを有する住宅施工工程計画支援システムであって、前記サーバは、予め事業所全体の工程情報を記憶する記憶手段を備え、前記建築長用端末は、前記サーバより前記工程情報を読み出す工程情報読出手段と、前記工程情報読出手段により読み出した工程情報を一覧で表示する工程情報表示手段と、前記工程情報表示手段により表示された工程情報の一覧から任意の工程情報を選択する工程情報選択手段と、前記工程情報選択手段により選択された工程情報に現場監督、担当工事店、及び工程パターンを入力する工程情報入力手段と、前記現場監督、担当工事店、及び工程パターンが入力された工程情報を前記サーバ上の工程情報に更新する工程情報更新手段とを備え、前記工事部長用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に施工管理者及び施工班を入力する工程情報入力手段と、前記施工管理者及び施工班が入力された工程情報を前記サーバの上の工程情報に更新する工程情報更新手段とを備え、前記施工管理者用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に詳細工程情報及び工事実績を入力する工程情報入力手段と、前記詳細工程情報又は工事実績が入力された工程情報を前記サーバ上の工程情報に更新する工程情報更新手段とを備え、前記現場監督用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に工事実績を入力する工程情報入力手段と、前記工事実績が入力された工程情報を前記サーバ上の工程情報に更新する工程情報更新手段とを備えることを特徴としている。
【０００６】
請求項２に記載の住宅施工工程計画支援システムは、請求項１記載の住宅施工工程計画支援システムにおいて、前記建築長用端末が、前記工事部長用端末に工程情報の作成を指示する工程情報作成指示手段を有することを特徴としている。
【０００７】
請求項３に記載の住宅施工工程計画支援システムは、請求項１又は２記載の住宅施工工程計画支援システムにおいて、前記工事部長用端末が、前記施工管理者用端末に工程情報の作成を指示する工程情報作成指示手段を有することを特徴としている。
【０００８】
請求項４に記載の住宅施工工程計画支援システムは、請求項１乃至３記載の住宅施工工程計画支援システムにおいて、前記施工管理者用端末が、前記現場監督用端末に工程情報の承認を指示する工程情報承認指示手段を有することを特徴としている。
【０００９】
請求項５に記載の住宅施工工程計画支援システムは、請求項１乃至４記載の住宅施工工程計画支援システムにおいて、前記現場監督用端末が、前記施工管理者用端末に工程情報の承認を連絡する工程情報承認連絡手段を有することを特徴としている。
【発明の効果】
【００１０】
請求項１に記載の住宅施工工程計画支援システムによれば、建築長が使用する建築長用端末と、工事部長が使用する工事部長用端末と、施工管理者が使用する施工管理者用端末と、現場監督が使用する現場監督用端末と、前記建築長用端末、前記工事部長用端末、施工管理者用端末及び現場監督用端末とネットワークを介して接続されたサーバとを有する住宅施工工程計画支援システムであって、前記サーバは、予め事業所全体の工程情報を記憶する記憶手段を備え、前記建築長用端末は、前記サーバより前記工程情報を読み出す工程情報読出手段と、前記工程情報読出手段により読み出した工程情報を一覧で表示する工程情報表示手段と、前記工程情報表示手段により表示された工程情報の一覧から任意の工程情報を選択する工程情報選択手段と、前記工程情報選択手段により選択された工程情報に現場監督、担当工事店、及び工程パターンを入力する工程情報入力手段と、前記現場監督、担当工事店、及び工程パターンが入力された工程情報を前記サーバ上の工程情報に更新する工程情報更新手段とを備え、前記工事部長用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に施工管理者及び施工班を入力する工程情報入力手段と、前記施工管理者及び施工班が入力された工程情報を前記サーバの上の工程情報に更新する工程情報更新手段とを備え、前記施工管理者用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に詳細工程情報及び工事実績を入力する工程情報入力手段と、前記詳細工程情報又は工事実績が入力された工程情報を前記サーバ上の工程情報に更新する工程情報更新手段とを備え、前記現場監督用端末は、前記サーバより前記工程情報を読み出す工程情報読出手段と、前記工程情報読出手段により読み出した工程情報を表示する工程情報表示手段と、前記工程情報表示手段により表示された工程情報から任意の工程情報を選択する工程情報選択手段と、前記工程情報選択手段により選択された工程情報に工事実績を入力する工程情報入力手段と、前記工事実績が入力された工程情報を前記サーバ上の工程情報に更新する工程情報更新手段とを備えることから、建築長のみならず、工事部長、施工管理者及び現場監督の各担当者が個別に工程情報を入力することが可能となるため、システム上で一度作成した工程計画を工事中に変更しなければならない場合であっても、作成した工程計画を全体的に変更可能であるとともに、建築長、工事部長、施工管理者及び現場監督の役割分担とそれぞれの責任を明確化でき、２重業務を排除した効率的な工程管理を可能とする住宅施工工程計画支援システムを提供することができる。また、施工管理者用端末及び現場監督用端末から入力された工事実績が工程情報に反映されるため、各担当者が工程計画と工事実績を同時に把握することが可能な住宅施工工程計画支援システムを提供することができる。
【００１１】
請求項２に記載の住宅施工工程計画支援システムによれば、前記建築長用端末が、前記工事部長用端末に工程情報の作成を指示する工程情報作成指示手段を有することから、建築長と工事部長の役割分担とそれぞれの責任を明確化でき、２重業務を排除した効率的な工程管理を可能とする住宅施工工程計画支援システムを提供することができる。
【００１２】
請求項３に記載の住宅施工工程計画支援システムによれば、前記工事部長用端末が、前記施工管理者用端末に工程情報の作成を指示する工程情報作成指示手段を有することから、工事部長と施工管理者の役割分担とそれぞれの責任を明確化でき、２重業務を排除した効率的な工程管理を可能とする住宅施工工程計画支援システムを提供することができる。
【００１３】
請求項４に記載の住宅施工工程計画支援システムによれば、前記施工管理者用端末が、前記現場監督用端末に工程情報の承認を指示する工程情報承認指示手段を有することから、施工管理者と現場監督の役割分担とそれぞれの責任を明確化でき、２重業務を排除した効率的な工程管理を可能とする住宅施工工程計画支援システムを提供することができる。
【００１４】
請求項５に記載の住宅施工工程計画支援システムによれば、前記現場監督用端末が、前記施工管理者用端末に工程情報の承認を連絡する工程情報承認連絡手段を有することから、施工管理者と現場監督の役割分担とそれぞれの責任を明確化でき、２重業務を排除した効率的な工程管理を可能とする住宅施工工程計画支援システムを提供することができる。
【発明を実施するための最良の形態】
【００１５】
以下、本発明の実施の形態に係る住宅施工工程計画支援システム１００について図面に基づいて説明する。
図１は、本発明の実施の形態に係る住宅施工工程計画支援システム１００の概略構成図を示すものである。住宅施工工程計画支援システム１００は、図１に示すように、建築長が使用する建築長用端末１０と、工事部長が使用する工事部長用端末２０と、施工管理者が使用する施工管理者用端末３０と、現場監督が使用する現場監督用端末４０と、建築長用端末１０、工事部長用端末２０、施工管理者用端末３０及び現場監督用端末４０とネットワーク５０を介して接続されたサーバ６０とを有する。ここで、建築長とは、事業所全体の工程情報を管理し、大まかな工程計画を作成する者をいう。工事部長とは、建築長より提示された大まかな工程計画の適否を判断し、施工管理者及び施工班を選定する者をいう。施工管理者とは、工事部長の指示に基づき、詳細な工程計画を作成するとともに、現場の工事状況を管理する者をいう。現場監督とは、施工管理者が作成した詳細な工程計画に基づき、現場の工事状況を管理する者をいう。
【００１６】
建築長用端末１０は、建築長の事務所に設置された汎用のパーソナルコンピュータ（ＰＣ）であって、制御部（ＣＰＵ：Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤ（Ｈａｒｄ  Ｄｉｓｋ）、モニタ等の表示部、キーボードやマウス等の入力部等を有しており、制御部によりＲＯＭに予めインストールされたコンピュータプログラムに従って各部が制御される。建築長用端末１０は、図１に示すように、サーバ６０より工程情報を読み出す工程情報読出手段１１と、工程情報読出手段１１により読み出した工程情報を一覧で表示する工程情報表示手段１２と、工程情報表示手段１２により表示された工程情報の一覧から任意の工程情報を選択する工程情報選択手段１３と、工程情報選択手段１３により選択された工程情報に現場監督、担当工事店、及び工程パターンを入力する工程情報入力手段１４と、現場監督、担当工事店、及び工程パターンが入力された工程情報をサーバ６０上の工程情報に更新する工程情報更新手段１５と、工事部長用端末２０に工程情報の作成を指示する工程情報作成指示手段１６とを備えている。
【００１７】
工程情報読出手段１１は、サーバ６０に記憶された工程情報を読み出すための読出手段である。建築長用端末１０において、おおまかな工程計画を作成する場合には、元となる工程情報が必要となるが、建築長用端末１０には元となる工程情報は存在しないため、工程情報読出手段１１により、サーバ６０に記憶された工程情報を建築長用端末１０に読み出す。
【００１８】
工程情報表示手段１２は、工程情報読出手段１１によりサーバ６０から読み出した工程情報を一覧で表示する表示手段である。図２は、工程情報の選択メニューの一覧を示す担当Ｗｉｎｄｏｗ１１０の表示画面図であり、図３は、３ヶ月分の出荷計画状況を示す出荷計画表１２０の表示画面図であり、図４は、単月分の出荷計画状況を示す出荷計画表１３０の表示画面図である。担当Ｗｉｎｄｏｗ１１０の表示画面には、図２に示すように、工事進捗入力、工事進捗出力、工事進捗カレンダーが表示される。また、各項目には詳細な項目を選択するための選択ボタンが表示されている。さらに、選択ボタンのうち「出荷計画一覧」ボタンを押すことで、出荷計画表１２０又は１３０が表示される。
【００１９】
出荷計画表１２０の表示画面には、図３に示すように、出荷日順の進捗状況、邸名、建築地、営業担当者の氏名が上段に表示され、月毎の出荷棟数の合計、上旬、中旬及び下旬の出荷棟数が下段に表示される。上段の工程情報は、１つの邸名に対して、出荷日、進捗状況、建築地、営業担当者の氏名が１組の工程情報を形成し、出荷計画表１２０ではその１組の工程情報が出荷日順に一覧となって３ヶ月分表示される。また、出荷計画表１２０の左側端部の「前月」の文字をクリックすると、前月から３ヶ月分の工程情報を表示し、出荷計画表１２０の右側端部の「次月」の文字をクリックすると、次月を含む過去３ヶ月分の工程情報を表示する。なお、上段の工程情報の表示は、旬ごとに色分けされており（図示せず）、月の上旬の工程情報は青色、中旬の工程情報は黄色、下旬の工程情報は赤色で表示される。また、出荷計画表１２０は表示画面の右上部のラジオボタンを「出荷計画表（単月）」にすることにより、図４に示すような単月分の出荷計画状況を示す出荷計画表１３０が表示される。
【００２０】
出荷計画表１３０の表示画面には、図４に示すように、出荷日順の入荷日、進捗状況、邸名、建築地、商品名、延床面積、営業担当者氏名、設計者氏名、現場監督氏名、各工程（基礎、外装、内装）の担当工事店名が上段に表示され、出荷棟数の合計、上旬、中旬、下旬の出荷棟数及び割合が下段に表示される。上段の工程情報は、１つの邸名に対して、出荷日、入荷日、進捗状況、建築地、商品名、延床面積、営業担当者氏名、設計者氏名、現場監督氏名、各工程（基礎、外装、内装）の担当工事店名が対となる１組の工程情報を形成し、出荷計画表１３０ではその１組の工程情報が出荷日順に一覧なって単月分表示される。また、出荷計画表１３０の左側端部の「前月」の文字をクリックすると、前月分の工程情報の一覧を表示し、出荷計画表１３０の右側端部の「次月」の文字をクリックすると、次月の工程情報の一覧を表示する。なお、上段の工程情報の表示は、旬ごとに色分けされており（図示せず）、月の上旬の工程情報は青色、中旬の工程情報は黄色、下旬の工程情報は赤色で表示される。また、上段に表示される進捗状況には、進捗状況に応じて数段階（Ｉ〜ＩＶ）にレベル分けした進捗レベルが、工程（基礎、外装、内装）ごとに表示される。このように進捗状況をレベルで表示することにより、各邸の進捗状況を容易に把握することができる。さらに、出荷計画表１３０は表示画面の右上部のラジオボタンを「出荷計画表（３ヶ月）」にすることにより、出荷計画表１２０が表示される。
【００２１】
このように工程情報表示手段１２は、工程情報読出手段１１がサーバ６０から読み出した工程情報に基づいて、出荷計画表１２０及び１３０として工程情報を一覧として表示する。工程情報を一覧で表示することで、事業所全体の工程情報を容易に把握することができるとともに、建築長用端末１０においての工程計画の作成に反映することができる。
【００２２】
工程情報選択手段１３は、工程情報表示手段１２により表示された工程情報の一覧から任意の工程情報を選択する手段である。図３の出荷計画表１２０において、上段の工程情報の一覧から邸名を選択し、出荷計画表１２０の右下の「邸別入力画面（Ｆ１２）」ボタンを押すことで、工程情報表示手段１２により、図５に示すような邸別入力画面１４０が表示される。邸別入力画面１４０が表示されることにより、工程情報選択手段１３が、出荷計画表１２０の工程情報から任意の工程情報を選択したことになる。なお、図４の出荷計画表１３０において、上段の工程情報の一覧から邸名を選択し、出荷計画表１３０の右下の「邸別入力画面（Ｆ１２）」ボタンを押した場合でも、邸別入力画面１４０が表示される。
【００２３】
工程情報入力手段１４は、工程情報選択手段１３により選択された工程情報に、現場監督、担当工事店、及び工程パターンを入力する入力手段である。ここで、担当工事店とは、実際に現場で建築工事を行う工事店をいい、工程パターンとは、基礎、外装、内装毎、商品毎に、工程イベントのフローをパターン化したものをいう。邸別入力画面１４０は、上段には出荷日、入荷日の入力メニュー、中段には工事関係者の入力メニュー、下段には工程パターンの入力メニューが表示される。建築長用端末１０においては、邸別入力画面１４０中段の工事関係者の入力メニューに現場監督、担当工事店が、下段の工程パターンの入力メニューに各工程の工程パターンがそれぞれ入力される。各入力項目はプルダウンメニューから選択することにより入力される。なお、邸別入力画面１４０から入力した現場監督、担当工事店、及び工程パターンは、出荷計画表１３０に表示される工程情報に反映される。
【００２４】
工程情報更新手段１５は、工程情報入力手段１４により現場監督、担当工事店、及び工程パターンが入力された工程情報をサーバ６０上に記憶された工程情報に更新する更新手段である。邸別入力画面１４０において現場監督、担当工事店、及び工程パターンを入力した後、邸別入力画面１４０の右下の「更新（Ｆ１１）」ボタンを押すことで、サーバ６０上に記憶された工程情報に、工程情報入力手段１４により入力した現場監督、担当工事店、及び工程パターンの各工程情報を更新する。
【００２５】
工程情報作成指示手段１６は、工事部長用端末２０に工程情報の作成を指示する指示手段である。建築長用端末１０は、工事部長用端末２０に工程情報の作成を指示する場合、邸別入力画面１４０の右下の「工事部長への作成依頼（Ｆ１２）」を押すことで、工事部長用端末２０へ工程情報の作成を指示する。
【００２６】
工事部長用端末２０は、工事部長の事務所に設置された汎用のパーソナルコンピュータ（ＰＣ）であって、制御部、ＲＡＭ、ＲＯＭ、ＨＤ、モニタ等の表示部、キーボードやマウス等の入力部等を有しており、制御部によりＲＯＭに予めインストールされたコンピュータプログラムに従って各部が制御される。工事部長用端末２０は、図１に示すように、サーバ６０より工程情報を読み出す工程情報読出手段２１と、工程情報読出手段２１により読み出した工程情報を表示する工程情報表示手段２２と、工程情報表示手段２２により表示された工程情報から任意の工程情報を選択する工程情報選択手段２３と、工程情報選択手段２３により選択された工程情報に施工管理者及び施工班を入力する工程情報入力手段２４と、施工管理者及び施工班が入力された工程情報をサーバ６０上の工程情報に更新する工程情報更新手段２５と、施工管理者用端末３０に工程情報の作成を指示する工程情報作成指示手段２６とを備えている。
【００２７】
工程情報読出手段２１は、サーバ６０に記憶された工程情報を読み出すための読出手段である。建築長用端末２０において、工程計画を作成する場合には、元となる工程情報が必要となるが、建築長用端末２０には元となる工程情報は存在しないため、工程情報読出手段２１により、サーバ６０に記憶された工程情報を建築長用端末２０に読み出す。
【００２８】
工程情報表示手段２２は、工程情報読出手段２１によりサーバ６０から読み出した工程情報を表示する表示手段である。図６は、邸別の工程作成表１５０の表示画面図であり、図７は、班別の工程作成表１６０の表示画面図である。担当Ｗｉｎｄｏｗ１１０の工事進捗入力の「工程作成表」ボタンを押すことで、工程作成表１５０又は１６０が表示される。工程作成表１５０の表示画面には、図６に示すように、進捗レベル、工事店名、施工班名、工事部長名、邸名が表示される。なお、工程作成表１５０の上段は、施工班及び施工管理者が未設定の物件が表示され、下段には施工班設定済物件が表示される。また、図６は日別表示の工程作成表を示しているが、工程作成表１５０の右上部のラジオボタンを「旬別表示」にすることにより、旬別表示の工程作成表（図示せず）が表示される。さらに、工程作成表１５０の中央下部の「班別表示」ボタンを押すことにより、図７に示すような班別の工程作成表１６０が表示される。
【００２９】
工程作成表１６０の表示画面には、図７に示すように、進捗レベル、施工班名、施工管理者名、工事部長名、邸名が１組の工程情報として一覧で表示され、その一組の工程情報に対応した工程計画が日別表示される。なお、工程作成表１６０の上段は、施工班及び施工管理者が未設定の物件が表示され、下段には施工班設定済物件が表示される。また、図７は日別表示の工程作成表を示しているが、工程作成表１６０の右上部のラジオボタンを「旬別表示」にすることにより、旬別表示の工程作成表（図示せず）が表示される。さらに、工程作成表１６０の中央下部の「邸別表示」ボタンを押すことにより、図６の邸別の工程作成表１５０が表示される。
【００３０】
工程作成表１５０及び１６０は、工程作成表上部中央の「表示開始日」を入力することにより、工程作成表の上段には、表示開始日以降に開始予定の物件が表示され、下段には、表示開始日の２０日前以降に完了予定の物件が表示される。また、工程作成表１５０及び１６０に表示される工程情報は、サーバ６０に記憶されている工程情報に基づいており、工程情報読出手段２１がサーバ６０から工程情報を読み出すことにより、読み出した工程情報が反映された工程作成表１５０及び１６０が表示される。
【００３１】
工程情報選択手段２３は、工程情報表示手段２２により表示された工程情報から任意の工程情報を選択する手段である。図６の工程作成表１５０において、下段の工程情報の一覧から邸名を選択し、工程作成表１５０の右下部の「工程調整画面へ（Ｆ１２）」ボタンを押すことで、工程情報表示手段２２により、図８に示すような邸別の工程調整画面１７０が表示される。工程調整画面１７０が表示されることにより、工程情報選択手段２３が工程作成表１５０の任意の工程情報を選択したことになる。なお、図７の工程作成表１６０において、下段の邸の工程バー１６１を選択しダブルクリックした場合でも、工程調整画面１７０が表示される。
【００３２】
工程情報入力手段２４は、工程情報選択手段２３により選択された工程情報に、施工管理者及び施工班を入力する入力手段である。ここで、施工班とは、実際に現場で工事を行う施工班をいう。工程調整画面１７０には、上段には工事関係者の入力メニュー、下段には工程情報入力手段１４により入力した工程パターンに基づいて振り分けられたイベントがそれぞれ表示される。工事部長用端末２０においては、上段の工事関係者の入力メニューに施工管理者及び施工班がそれぞれ入力される。各入力項目はプルダウンメニューから選択することにより入力される。なお、工程調節画面１７０から入力した施工管理者及び施工班の工程情報は、出荷計画表１３０、工程作成表１５０及び１６０に反映される。
【００３３】
工程情報更新手段２５は、工程情報入力手段２４により施工管理者及び施工班が入力された工程情報をサーバ６０上に記憶された工程情報に更新する更新手段である。工程調整画面１７０において施工管理者及び施工班を入力した後、工程調整画面１７０の右下部の「更新（Ｆ１１）」ボタンを押すことで、サーバ６０上に記憶された工程情報に、工程情報入力手段２４により入力した施工管理者及び施工班の各工程情報を更新する。
【００３４】
工程情報作成指示手段２６は、施工管理者用端末３０に工程情報の作成を指示する指示手段である。工事部長用端末２０は、施工管理者用端末３０に工程情報の作成を指示する場合、工程調整画面１７０の右下部の「施工管理者への作成依頼（Ｆ１２）」を押すことで、施工管理者用端末３０へ工程情報の作成を指示する。
【００３５】
施工管理者用端末３０は、施工管理者の事務所に設置された汎用のパーソナルコンピュータ（ＰＣ）であって、制御部、ＲＡＭ、ＲＯＭ、ＨＤ、モニタ等の表示部、キーボードやマウス等の入力部等を有しており、制御部によりＲＯＭに予めインストールされたコンピュータプログラムに従って各部が制御される。施工管理者用端末３０は、図１に示すように、サーバ６０より工程情報を読み出す工程情報読出手段３１と、工程情報読出手段３１により読み出した工程情報を表示する工程情報表示手段３２と、工程情報表示手段３２により表示された工程情報から任意の工程情報を選択する工程情報選択手段３３と、工程情報選択手段３３により選択された工程情報に詳細工程情報及び工事実績を入力する工程情報入力手段３４と、詳細工程情報及び工事実績が入力された工程情報をサーバ６０上の工程情報に更新する工程情報更新手段３５、現場監督用端末に工程情報の承認を指示する工程情報承認指示手段３６とを備えている。
【００３６】
工程情報読出手段３１は、サーバ６０に記憶された工程情報を読み出すための読出手段である。施工管理者用端末３０において、詳細工程を作成する場合には、元となる工程情報が必要となるが、施工管理者用端末３０には元となる工程情報は存在しないため、工程情報読出手段３１により、サーバ６０に記憶された工程情報を施工管理者用端末３０に読み出す。
【００３７】
工程情報表示手段３２は、工程情報読出手段３１によりサーバ６０から読み出した工程情報を表示する表示手段である。図９は、日別表示の工程表１８０の表示画面図であり、図１０は、邸別の詳細工程表１９０の表示画面図である。担当Ｗｉｎｄｏｗ１１０の工事進捗入力の「工程表」ボタンを押すことで、工程表１８０が表示される。工程表１８０の表示画面には、図９に示すように、邸毎の基礎、外装、内装の工程計画状況と工程進捗状況が一組の工程情報として一覧に表示され、その一組の工程情報に対応した工程が日別表示される。また、工程表１８０の表示画面の右上部のラジオボタンを「旬別表示」にすることにより、旬別表示の工程表（図示せず）が表示される。さらに、工程表１８０の表示画面の右下部の「邸別詳細工程表へ（Ｆ１２）」ボタンを押すことで、図１０に示すような、邸別の詳細工程表１９０が表示される。
【００３８】
詳細工程表１９０の表示画面には、図１０に示すように、工程表１８０で選択した邸の各工程（基礎、外装、内装等）における工程計画及び工事実績が日別表示される。また各工程は行として分けられて表示され、各行をさらに２行に分けた上段に工程計画、下段に工事実績がそれぞれ表示される。
【００３９】
工程表１８０及び詳細工程表１９０に表示される工程情報は、サーバ６０に記憶されている工程情報に基づいており、工程情報読出手段３１がサーバ６０から工程情報を読み出すことにより、工程表１８０及び詳細工程表１９０に工程情報が一覧として表示される。このように工程情報を一覧で表示することで、工程情報を容易に把握することができるとともに、施工管理者用端末３０においての詳細工程の作成に反映することができる。
【００４０】
工程情報選択手段３３は、工程情報表示手段３２により表示された工程情報から任意の工程情報を選択する手段である。図８の工程表１８０において、工程情報の一覧から邸名を選択し、工程表１８０の右下部の「邸別詳細工程表へ（Ｆ１２）」ボタンを押すことで、工程情報表示手段３２により、図１０に示すような邸別の詳細工程表１９０が表示される。詳細工程表１９０が表示されることにより、工程情報選択手段３３が工程表１８０の任意の工程情報を選択したことになる。また、図１０の詳細工程表１９０において、工程情報の一覧から例えば詳細工程の「基礎」を選択し、詳細工程表１９０の右下部の「工程調整画面へ（Ｆ１２）」ボタンを押すことで、工程情報表示手段３２により、図１１に示すような邸別の工程調整画面２００が表示される。工程調整画面２００が表示されることにより、工程情報選択手段３３が詳細工程表１９０の任意の工程情報を選択したことになる。
【００４１】
工程情報入力手段３４は、工程情報選択手段３３により選択された工程情報に詳細工程情報及び工事実績を入力する入力手段である。ここで、詳細工程情報とは、基礎、外装、内装、外溝工事、水道工事等の工事についての詳細な工程情報をいい、工事実績とは基礎、外装、内装、外溝工事、水道工事等の各工事の実際の工事実施状況をいう。工程調整画面２００は、上段には工事関係者の入力メニュー、下段には工程情報入力手段１４により入力した工程パターンに基づいて振り分けられたイベントを含む工程計画がそれぞれ表示される。施工管理者用端末３０においては、下段の工程計画に詳細工程情報及び工事実績がそれぞれ入力される。各入力項目は、下段の工程計画のイベントをダブルクリックし、図１２に示す進捗設定２１０画面を表示することで入力が可能となる。なお、工程調整画面２００から入力した詳細工程情報及び工事実績は、工程表１８０、詳細工程表１９０に表示される工程情報に反映される。
【００４２】
工程情報更新手段３５は、工程情報入力手段３４により詳細工程情報及び工事実績が入力された工程情報をサーバ６０上に記憶された工程情報に更新する更新手段である。工程調整画面２００において詳細工程情報又は工事実績を入力した後、工程調整画面２００の右下部の「更新（Ｆ１１）」ボタンを押すことで、サーバ６０上に記憶された工程情報に、工程情報入力手段３４により入力した詳細工程情報又は工程実績の各工程情報を更新する。
【００４３】
工程情報承諾指示手段３６は、現場監督用端末４０に作成した工程情報の承諾を指示する指示手段である。施工管理者用端末３０は、現場監督用端末４０に作成した詳細工程情報の承諾を指示する場合、工程調整画面２００の右下部の「現場監督へ作成依頼（Ｆ１２）」を押すことで、現場監督用端末３０へ作成した詳細工程情報の承諾を指示する。
【００４４】
現場監督用端末４０は、現場監督の事務所に設置された汎用のパーソナルコンピュータ（ＰＣ）であって、制御部（ＣＰＵ）、ＲＡＭ、ＲＯＭ、ＨＤ、モニタ等の表示部、キーボードやマウス等の入力部等を有しており、制御部によりＲＯＭに予めインストールされたコンピュータプログラムに従って各部が制御される。現場監督用端末４０は、図１に示すように、サーバ６０より工程情報を読み出す工程情報読出手段４１と、工程情報読出手段４１により読み出した工程情報を表示する工程情報表示手段４２と、工程情報表示手段４２により表示された工程情報から任意の工程情報を選択する工程情報選択手段４３と、工程情報選択手段４３により選択された工程情報に工事実績を入力する工程情報入力手段４４と、工事実績が入力された工程情報をサーバ６０上の工程情報に更新する工程情報更新手段４５、施工管理者用端末に工程情報の承認を連絡する工程情報承認連絡手段４６とを備えている。
【００４５】
工程情報読出手段４１は、サーバ６０に記憶された工程情報を読み出すための読出手段である。現場監督用端末４０において、工事実績を入力する場合には、元となる工程情報が必要となるが、現場監督用端末４０には元となる工程情報は存在しないため、工程情報読出手段４１により、サーバ６０に記憶された工程情報を現場監督用端末４０に読み出す。
【００４６】
工程情報表示手段４２は、工程情報読出手段４１によりサーバ６０から読み出した工程情報を表示する表示手段である。現場監督用端末４０においては、施工管理者用端末３０と同様に、工程情報表示手段４２により、担当Ｗｉｎｄｏｗ１１０、工程表１８０及び詳細工程表１９０が表示される。
【００４７】
工程情報選択手段４３は、工程情報表示手段４２により表示された工程情報から任意の工程情報を選択する手段である。工程表１８０において、工程情報の一覧から邸名を選択し、工程表１８０の右下部の「邸別詳細工程表へ（Ｆ１２）」ボタンを押すことで、工程情報表示手段４２により、詳細工程表１９０が表示される。詳細工程表１９０が表示されることにより、工程情報選択手段４３が工程表１８０の任意の工程情報を選択したことになる。また、詳細工程表１９０において、工程情報の一覧から例えば詳細工程の「基礎」を選択し、詳細工程表１９０の右下部の「工程調整画面へ（Ｆ１２）」ボタンを押すことで、工程情報表示手段４２により、図１３に示すような邸別の工程調整画面２２０が表示される。工程調整画面２２０が表示されることにより、工程情報選択手段４３が詳細工程表１９０の任意の工程情報を選択したことになる。
【００４８】
工程情報入力手段４４は、工程情報選択手段４３により選択された工程情報に、工事実績を入力する入力手段である。工程調整画面２２０において、上段には工事関係者の入力メニュー、下段には工程情報入力手段１４により入力した工程パターンに基づいて振り分けられたイベントを含む工程計画がそれぞれ表示される。現場監督用端末４０においては、下段の工程計画に工事実績が入力される。工事実績は、下段の工程計画のイベントをダブルクリックし、図１３に示す進捗設定２１０画面を表示させることで入力が可能となる。なお、工程調整画面２２０から入力した詳細工事実績は、工程表１８０、詳細工程表１９０に表示される工程情報に反映される。
【００４９】
工程情報更新手段４５は、工程情報入力手段４４により工事実績が入力された工程情報をサーバ６０上に記憶された工程情報に更新する更新手段である。工程調整画面２２０において工事実績を入力した後、工程調整画面２２０の右下部の「更新（Ｆ１１）」ボタンを押すことで、サーバ６０上に記憶された工程情報に、工程情報入力手段４４により入力した工程実績を更新する。
【００５０】
工程情報承諾連絡手段４６は、施工管理者用端末３０に作成した詳細工程の承諾を連絡する連絡手段である。現場監督用端末４０は、施工管理者用端末３０に施工管理者用端末３０で作成した詳細工程情報を承認する場合、工程調整画面２２０の右下部の「承認（Ｆ１２）」ボタンを押すことで、施工管理者用端末３０で作成した詳細工程情報を承諾する旨を連絡する。
【００５１】
ネットワーク５０は、図１に示すように、建築長用端末１０と、工事部長用端末２０と、施工管理者用端末３０と、現場監督用端末４０と、サーバ６０とを繋ぐコンピュータネットワークである。
【００５２】
サーバ６０は、図１に示すように、工程管理サーバ６１と、基本情報データベース６２及び業者情報データベース６３を格納するためのデータベースサーバ６４とを備えている。図示していないが、工程管理サーバ６１及びデータベースサーバ６４は、制御部やＲＡＭ、ＲＯＭ等を有しており、制御部によりＲＯＭに予めインストールされたコンピュータプログラムに従って各部が制御される。
【００５３】
工程管理サーバ６１は、管理対象である住宅を施工する上での工程管理を行うためのものであり、建築長用端末１０、工事部長用端末２０、施工管理者用端末３０及び現場監督用端末４０で作成及び更新された工程情報をＨＤに記憶するものとして機能する。
【００５４】
データベースサーバ６４は、ネットワーク５０を介して、建築長用端末１０、工事部長用端末２０、施工管理者用端末３０及び現場監督用端末４０から要求される管理対象の基本情報及び工事関係者の業者情報を格納するものである。基本情報データベース６２は、予め管理対象の基本情報を記憶するものとして機能する。業者情報データベース６３は、予め登録された工事関係者のデータを記憶するものとして機能する。
【００５５】
以下、本発明の実施形態に係る住宅施工工程計画支援システム１００おける主要ステップについて説明する。
建築長用端末１０は、工程情報読出手段１１により、サーバ６０の工程管理サーバ６１及びデータベースサーバ６４から工程情報を読み出す。サーバ６０から工程情報を読み出すと工程情報表示手段１２は担当Ｗｉｎｄｏｗ１１０を表示する。担当Ｗｉｎｄｏｗ１１０の工事進捗入力の「出荷計画一覧」ボタンを押す。これにより、工程情報表示手段１２が出荷計画表１２０又は１３０を表示する。出荷計画表１２０又は１３０から邸名を選択し、出荷計画表１２０又は１３０の「邸別入力画面（Ｆ１２）」ボタンを押す。これにより工程情報選択手段１３が選択した邸名の工程情報のみを選択し、工程情報表示手段１２が選択された工程情報を邸別入力画面１４０に表示する。邸別入力画面１４０が表示されると、工程情報入力手段１４が現場監督、担当工事店、及び工程パターンを邸別入力画面１４０に入力する。邸別入力画面１４０に工程情報が入力されると、邸別入力画面１４０の「更新」ボタンを押す。これにより工程情報更新手段１５が、現場監督、担当工事店、及び工程パターンが入力された工程情報を、サーバ６０の工程管理サーバ６１に記憶された工程情報に更新する。工程情報が更新されると、邸別入力画面１４０の「工事部長への作成依頼（Ｆ１２）」ボタンを押す。これにより、工程情報作成指示手段１６が、工事部長用端末２０に対して工程情報の作成を指示する工程情報作成指示データを工程管理サーバ６１に作成する。なお、工程情報の作成指示は、図１４に示すような依頼一覧２３０として一覧で表示される。
【００５６】
工事部長用端末２０は、工程情報読出手段２１により、工程管理サーバ６１から建築長端末１０が作成した工程情報作成指示データを読み出す。このとき工程情報の作成依頼が、図１５に示すような受付一覧２４０として一覧で表示される。工程情報作成指示データを読み出すと、工程情報読出手段２１により、工程管理サーバ６１及びデータベースサーバ６４から工程情報を読み出す。工程管理サーバ６１及びデータベースサーバ６４から工程情報を読み出すと、工程情報表示手段２２は担当Ｗｉｎｄｏｗ１１０を表示する。担当Ｗｉｎｄｏｗ１１０の工事進捗入力の「工程作成表」ボタンを押す。これにより、工程情報表示手段２２が工程作成表１５０又は１６０を表示する。工程作成表１５０又は１６０から邸名を選択し、工程作成表１５０又は１６０の「工程調整画面へ（Ｆ１２）」ボタンを押す。これにより、工程情報選択手段２３が選択した邸名の工程情報のみを選択し、工程情報表示手段２２が、選択された工程情報を工程調整画面１７０に表示する。工程調整画面１７０が表示されると、工程情報入力手段２４が施工管理者及び施工班を工程調整画面１７０に入力する。工程調整画面１７０に工程情報が入力されると、工程調整画面１７０の「更新」ボタンを押す。これにより工程情報更新手段２５が、施工管理者及び施工班が入力された工程情報を、サーバ６０の工程管理サーバ６１に記憶された工程情報に更新する。工程情報が更新されると、工程調整画面１７０の「施工管理者へ作成依頼（Ｆ１２）」を押す。これにより、工程情報作成指示手段２６が、施工管理者用端末３０に対して工程情報の作成を指示する工程情報作成指示データを工程管理サーバ６１に作成する。なお、工程情報の作成指示は、依頼一覧２３０として一覧で表示される。
【００５７】
施工管理者用端末３０は、工程情報読出手段３１により、工程管理サーバ６１から工事部長用端末２０が作成した工程情報作成指示データを読み出す。このとき工程情報の作成依頼が、受付一覧２４０として一覧で表示される。工程情報作成指示データを読み出すと、工程情報読出手段３１により、工程管理サーバ６１及びデータベースサーバ６４から工程情報を読み出す。工程管理サーバ６１及びデータベースサーバ６４から工程情報を読み出すと工程情報表示手段３２は担当Ｗｉｎｄｏｗ１１０を表示する。担当Ｗｉｎｄｏｗ１１０の工事進捗入力の「工程表」ボタンを押す。これにより、工程情報表示手段３２が工程表１８０を表示する。工程表１８０から邸名を選択し、工程表１８０の「邸別詳細工程表へ（Ｆ１２）」ボタンを押す。これにより工程情報表示手段３２が、邸別の詳細工程表１９０を表示する。詳細工程表１９０から詳細工程（例えば「基礎」）を選択し、詳細工程表１９０の「工程調整画面へ（Ｆ１２）」ボタンを押す。これにより工程情報選択手段３３が、詳細工程表１９０で選択した詳細工程の工程情報のみを選択し、工程情報表示手段３２が、選択された工程情報を工程調整画面２００に表示する。工程調整画面２００が表示されると、工程情報入力手段３４が、詳細工程情報を工程調整画面２００に入力する。工程調整画面２００に詳細工程情報が入力されると、工程調整画面２００の「更新（Ｆ１１）」ボタンを押す。これにより、工程情報更新手段３５が、詳細工程情報が入力された工程情報を、工程管理サーバ６１に記憶された工程情報に更新する。工程情報が更新されると、工程調整画面２００の「現場監督へ依頼（Ｆ１２）」ボタンを押す。これにより、工程情報承認指示手段３６が、現場監督用端末４０に対して作成した工程情報の承認を指示する工程情報承認指示データを工程管理サーバ６１に作成する。なお、工程情報の作成指示は、依頼一覧２３０として一覧で表示される。
【００５８】
現場監督用端末４０は、工程情報読出手段４１により、工程管理サーバ６１から施工管理者用端末３０が作成した工程情報承認指示データを読み出す。このとき工程情報の作成依頼が、受付一覧２４０として一覧で表示される。工程情報承認指示データを読み出すと、工程情報読出手段４１により、工程管理サーバ６１及びデータベースサーバ６４から工程情報を読み出す。工程管理サーバ６１及びデータベースサーバ６４から工程情報を読み出すと工程情報表示手段４２は担当Ｗｉｎｄｏｗ１１０を表示する。担当Ｗｉｎｄｏｗ１１０の工事進捗入力の「工程表」ボタンを押す。これにより、工程情報表示手段４２が工程表１８０を表示する。工程表１８０から邸名を選択し、工程表１８０の「邸別詳細工程表へ（Ｆ１２）」ボタンを押す。これにより工程情報表示手段４２が、邸別の詳細工程表１９０を表示する。詳細工程表１９０から詳細工程（例えば「基礎」）を選択し、詳細工程表１９０の「工程調整画面へ（Ｆ１２）」ボタンを押す。これにより工程情報選択手段４３が、詳細工程表１９０で選択した詳細工程の工程情報のみを選択し、工程情報表示手段４２が、選択された工程情報を工程調整画面２２０に表示する。工程調整画面２２０において、表示されている詳細工程情報が適切であると判断した場合は、工程調整画面２２０の「承認（Ｆ１２）」ボタンを押す。これにより、工程情報承認連絡手段４６が、工程管理サーバ６１に施工管理者用端末３０に対して工程情報の承認を連絡する工程情報承認連絡データを作成する。工程管理サーバ６１に工程情報承認連絡データが作成されたことで、施工管理者用端末３０が作成した工程情報を現場監督用端末４０が承認したと同時に、建築長用端末１０、工事長用端末２０が作成した工程情報についても現場監督用端末４０が承認したこととなる。現場監督用端末４０が作成された工程情報を承認したことで、作成された工程情報に従って出荷が開始される。
【００５９】
次に出荷後の本発明の実施形態に係る住宅施工工程計画支援システム１００おける主要ステップについて説明する。まず、施工管理者用端末３０より工事実績を入力する場合について説明する。施工管理者用端末３０は、工程情報読出手段３１により、工程管理サーバ６１及びデータベースサーバ６４から工程情報を読み出す。工程管理サーバ６１及びデータベースサーバ６４から工程情報を読み出すと工程情報表示手段３２は担当Ｗｉｎｄｏｗ１１０を表示する。担当Ｗｉｎｄｏｗ１１０の工事進捗入力の「工程表」ボタンを押す。これにより、工程情報表示手段３２が工程表１８０を表示する。工程表１８０から邸名を選択し、工程表１８０の「邸別詳細工程表へ（Ｆ１２）」ボタンを押す。これにより工程情報表示手段３２が、邸別の詳細工程表１９０を表示する。詳細工程表１９０から工事の進捗状況に応じて詳細工程（例えば「基礎」）を選択し、詳細工程表１９０の「工程調整画面へ（Ｆ１２）」ボタンを押す。これにより、工程情報選択手段３３が、詳細工程表１９０で選択した詳細工程の工程情報のみを選択し、工程情報表示手段３２が、選択された工程情報を工程調整画面２００に表示する。工程調整画面２００が表示されると、工程調整画面２００の工程枠調整に表示され、且つ工事実績を入力するイベントをダブルクリックする。これにより、工程情報表示手段３２は、進捗設定２１０を表示する。工程情報入力手段３４は、進捗設定２１０の「実績」のテキストボックスに、実際の工事状況に対応した実績日を入力する。実績日を入力後、進捗設定２１０の「確定（Ｆ１２）」ボタンを押す。これにより、工程調節画面２００に工事実績が入力される。なお、工程調節画面２００に工事実績が入力されると、工程調整画面２００の工程枠調整に表示されているイベントの青色文字が赤色で表示される。工事実績入力後、工程調整画面２００の「更新（Ｆ１１）」ボタンを押す。これにより、工程情報更新手段３５が、工事実績が入力された工程情報を、サーバ６０の工程管理サーバ６１に記憶された工程情報に更新する。更新された工程情報は、更新後に表示される工程作成表１５０及び１６０、工程表１８０に反映して表示される。
【００６０】
一方、施工管理者用端末３０によりイベントのみを調整する場合、工事実績を入力する場合と同様に、工程情報読出手段３１が工程情報を読出し、工程情報表示手段３２が工程調整画面２００を表示する。工程調整画面２００を表示後、工程調整画面２００の工程枠調整に表示されているイベントから、調整したいイベントをドラッグ＆ドロップする。例えば、２００６年３月１５日（水）の「基礎開始」を２００６年３月１６日（木）に変更したい場合は、工程調整画面２００の工程枠調整に表示されている２００６年３月１５日（水）の「基礎開始」の文字をドラッグ＆ドロップして、２００６年３月１６日（木）に変更する。これにより「基礎開始」以外のイベントも自動的に１日ずれた日にちで表示される。このように、一つのイベントを調整することで、自動的に他のイベントも調整されることから、一度作成した工程計画を容易に変更することが可能となる。なお、ある一つのイベントを調整した際に、それに伴って他のイベントが調整された結果、日曜日、祝日と合致した場合は、自動的に翌日に変更される。イベント調整後、工程調整画面２００の「更新（Ｆ１１）」ボタンを押す。これにより、工程情報更新手段３５が、イベントの調整された工程情報をサーバ６０の工程管理サーバ６１に記憶された工程情報に更新する。更新された工程情報は、更新後に表示される工程作成表１５０及び１６０、工程表１８０に反映して表示される。
【００６１】
次に、現場監督用端末４０より工事実績を入力する場合について説明する。現場監督用端末４０は、工程情報読出手段４１により、工程管理サーバ６１及びデータベースサーバ６４から工程情報を読み出す。工程管理サーバ６１及びデータベースサーバ６４から工程情報を読み出すと、工程情報表示手段４２は、担当Ｗｉｎｄｏｗ１１０を表示する。担当Ｗｉｎｄｏｗ１１０の工事進捗入力の「工程表」ボタンを押す。これにより、工程情報表示手段４２が工程表１８０を表示する。工程表１８０から邸名を選択し、工程表１８０の「邸別詳細工程表へ（Ｆ１２）」ボタンを押す。これにより、工程情報表示手段４２が、邸別の詳細工程表１９０を表示する。詳細工程表１９０から工事の進捗状況に応じて詳細工程（例えば「基礎」）を選択し、詳細工程表１９０の「工程調整画面へ（Ｆ１２）」ボタンを押す。これにより、工程情報選択手段４３が詳細工程表１９０で選択した詳細工程の工程情報のみを選択し、工程情報表示手段４２が、選択された工程情報を工程調整画面２２０に表示する。工程調整画面２２０が表示されると、工程調整画面２２０の工程枠調整に表示され、且つ工事実績を入力するイベントをダブルクリックする。これにより、工程情報表示手段４２は、進捗設定２１０を表示する。工程情報入力手段４４は、進捗設定２１０の「実績」のテキストボックスに、実際の工事状況に応じた実績日を入力する。実績日を入力後、進捗設定２１０の「確定（Ｆ１２）」ボタンを押す。これにより、工程調節画面２２０に工事実績が入力される。なお、工程調節画面２２０に工事実績が入力されると、工程調整画面２２０の工程枠調整に表示されているイベントの青色文字が赤色で表示される。工事実績入力後、工程調整画面２２０の「更新（Ｆ１１）」ボタンを押す。これにより、工程情報更新手段４５が、工事実績が入力された工程情報をサーバ６０の工程管理サーバ６１に記憶された工程情報に更新する。更新された工程情報は、更新後に表示される工程作成表１５０及び１６０、工程表１８０に反映して表示される。
【００６２】
一方、現場監督用端末４０よりイベントのみを調整する場合、工事実績を入力する場合と同様に、工程情報読出手段４１が工程情報を読出し、工程情報表示手段４２が工程調整画面２２０を表示する。工程調整画面２２０を表示後、工程調整画面２２０の工程枠調整に表示されているイベントから、調整したいイベントをドラッグ＆ドロップする。イベント調整後、工程調整画面２２０の「更新（Ｆ１１）」ボタンを押す。これにより、工程情報更新手段３５が、イベント調整された工程情報をサーバ６０の工程管理サーバ６１に記憶された工程情報に更新する。更新された工程情報は、更新後に表示される工程作成表１５０及び１６０、工程表１８０に反映して表示される。
【図面の簡単な説明】
【００６３】
【図１】本発明の実施の形態に係る住宅施工工程計画支援システム１００の概略構成図を示すものである。
【図２】本発明の実施の形態に係る住宅施工工程計画支援システム１００の担当Ｗｉｎｄｏｗ１１０の表示画面図である。
【図３】本発明の実施の形態に係る住宅施工工程計画支援システム１００の出荷計画表（３ヶ月）１２０の表示画面図である。
【図４】本発明の実施の形態に係る住宅施工工程計画支援システム１００の出荷計画表（単月）１３０の表示画面図である。
【図５】本発明の実施の形態に係る住宅施工工程計画支援システム１００の邸別入力画面１４０の表示画面図である。
【図６】本発明の実施の形態に係る住宅施工工程計画支援システム１００の工程作成表（邸別）１５０の表示画面図である。
【図７】本発明の実施の形態に係る住宅施工工程計画支援システム１００の工程作成表（班別）１６０の表示画面図である。
【図８】本発明の実施の形態に係る住宅施工工程計画支援システム１００の工事部長用端末２０に表示される邸別の工程調整画面１７０の表示画面図である。
【図９】本発明の実施の形態に係る住宅施工工程計画支援システム１００の工程表（日別表示）１８０の表示画面図である。
【図１０】本発明の実施の形態に係る住宅施工工程計画支援システム１００の邸別の詳細工程表１９０の表示画面図である。
【図１１】本発明の実施の形態に係る住宅施工工程計画支援システム１００の施工管理者用端末３０に表示される邸別の工程調整画面２００の表示画面図である。
【図１２】本発明の実施の形態に係る住宅施工工程計画支援システム１００の進捗設定２１０の表示画面図である。
【図１３】本発明の実施の形態に係る住宅施工工程計画支援システム１００の現場監督用端末４０に表示される邸別の工程調整画面２２０の表示画面図である。
【図１４】本発明の実施の形態に係る住宅施工工程計画支援システム１００の依頼一覧２３０の表示画面図である。
【図１５】本発明の実施の形態に係る住宅施工工程計画支援システム１００の受付一覧２４０の表示画面図である。
【符号の説明】
【００６４】
１０                    建築長用端末
１１、２１、３１、４１  工程情報読出手段
１２、２２、３２、４２  工程情報表示手段
１３、２３、３３、４３  工程情報選択手段
１４、２４、３４、４４  工程情報入力手段
１５、２５、３５、４５  工程情報更新手段
１６、２６              工程情報作成指示手段
２０                    工事部長用端末
３０                    施工管理者用端末
３６                    工程情報承認指示手段
４０                    現場監督用端末
４６                    工程情報承認連絡手段
【図１】
2008052623.tif 000003
【図２】
2008052623.tif 000004
【図３】
2008052623.tif 000005
【図４】
2008052623.tif 000006
【図５】
2008052623.tif 000007
【図６】
2008052623.tif 000008
【図７】
2008052623.tif 000009
【図８】
2008052623.tif 000010
【図９】
2008052623.tif 000011
【図１０】
2008052623.tif 000012
【図１１】
2008052623.tif 000013
【図１２】
2008052623.tif 000014
【図１３】
2008052623.tif 000015
【図１４】
2008052623.tif 000016
【図１５】
2008052623.tif 000017